(57)【要約】  本出願の実施例は情報伝送方法及び装置を提供する。該方法は複数の基礎パラメータセットから、ターゲット基礎パラメータセットを確定することと、前記ターゲット基礎パラメータセットに基づき、同期信号を受信又は送信することとを含む。
2019531000.tif 000002
【特許請求の範囲】
【請求項１】
情報伝送方法であって、
複数の基礎パラメータセットから、ターゲット基礎パラメータセットを確定することと、
前記ターゲット基礎パラメータセットに基づき、同期信号を受信又は送信することとを含む、前記情報伝送方法。
【請求項２】
複数の基礎パラメータセットから、ターゲット基礎パラメータセットを確定することは、
前記同期信号を送信するための搬送波周波数、
前記同期信号の伝送環境、
前記同期信号を送信するための搬送波、セル又は伝送ノードのカバレッジ範囲、
前記同期信号を送信するための送信電力、及び
前記同期信号を送信するための送信アンテナの形態、高さ、方向とアンテナアレイ素子の数、
という情報のうちの少なくとも一つに基づき、前記複数の基礎パラメータセットから、前記ターゲット基礎パラメータセットを確定することを含むことを特徴とする
請求項１に記載の方法。
【請求項３】
複数の基礎パラメータセットから、前記ターゲット基礎パラメータセットを確定することは、
前記情報に基づき、少なくとも一つの基礎パラメータの値を確定することと、
前記少なくとも一つの基礎パラメータの値に基づき、前記ターゲット基礎パラメータセットを確定することとを含むことを特徴とする
請求項２に記載の方法。
【請求項４】
前記同期信号はプライマリ同期信号と前記プライマリ同期信号に対応するセカンダリ同期信号を含むことを特徴とする
請求項１−３のいずれか一項に記載の方法。
【請求項５】
前記ターゲット基礎パラメータセットは第一の基礎パラメータセットと第二の基礎パラメータセットを含み、前記第一の基礎パラメータセットが前記第二の基礎パラメータセットと異なり、
前記ターゲット基礎パラメータに基づいて、同期信号を受信又は送信することは、
前記第一の基礎パラメータセットに基づき、前記プライマリ同期信号を受信又は送信することと、
前記第二の基礎パラメータに基づき、前記プライマリ同期信号に対応するセカンダリ同期信号を受信又は送信することとを含むことを特徴とする
請求項４に記載の方法。
【請求項６】
前記ターゲット基礎パラメータセットは第一の基礎パラメータセットと第二の基礎パラメータセットを含み、
複数の基礎パラメータセットから、ターゲット基礎パラメータセットを確定することは、前記複数の基礎パラメータセットの第一のサブセットから、前記第一の基礎パラメータセットを選択し、前記第一のサブセットが前記複数の基礎パラメータセットの少なくとも一つの基礎パラメータセットを含むことと、複数の基礎パラメータセットの第二のサブセットから、第二の基礎パラメータセットを選択し、前記第二のサブセットが前記複数の基礎パラメータセットの少なくとも一つの基礎パラメータセットを含み、前記第一のサブセットと前記第二のサブセットが少なくとも一つの異なる基礎パラメータセットを含むこととを含み、
前記ターゲット基礎パラメータセットに基づき、同期信号を受信又は送信することは、前記第一の基礎パラメータセットに基づき、前記プライマリ同期信号を受信又は送信することと、前記第二の基礎パラメータセットに基づき、前記セカンダリ同期信号を受信又は送信することとを含むことを特徴とする
請求項４又は５に記載の方法。
【請求項７】
前記方法はさらに、
前記第一の基礎パラメータセットに基づき、プライマリシステム情報を受信又は送信すること、又は
前記第二の基礎パラメータセットに基づき、プライマリシステム情報を受信又は送信すること、又は
前記第三の基礎パラメータセットに基づき、プライマリシステム情報を受信又は送信することを含み、
ここで、前記第三の基礎パラメータセットが前記第一の基礎パラメータセットと前記第二の基礎パラメータセットと異なることを特徴とする
請求項６に記載の方法。
【請求項８】
前記プライマリ同期信号と対応する前記セカンダリ同期信号との時間領域開始位置の時間領域差が時間領域差セットに属し、前記時間領域差セットが有限セットであり、及び／又は、
前記プライマリ同期信号と対応する前記セカンダリ同期信号との周波数領域開始位置の差が周波数領域差セットに属し、前記周波数領域差セットが有限セットであることを特徴とする
請求項６又は７に記載の方法。
【請求項９】
前記プライマリ同期信号と対応する前記セカンダリ同期信号との時間領域開始位置の時間領域差、及び前記プライマリ同期信号と対応する前記セカンダリ同期信号との周波数領域開始位置の差のうちの少なくとも一つがゼロではないことを特徴とする
請求項８に記載の方法。
【請求項１０】
前記プライマリ同期信号に占有された時間周波数位置が、対応する前記セカンダリ同期信号に占有された時間周波数位置と重ならないことを特徴とする
請求項８又は９に記載の方法。
【請求項１１】
前記方法はさらに、
前記プライマリシステム情報を受信又は送信することを含むことを特徴とする
請求項１−１０のいずれか一項に記載の方法。
【請求項１２】
前記プライマリシステム情報を受信又は送信することは、
前記プライマリシステム情報に対応する基礎パラメータセットに基づき、前記プライマリシステム情報を受信又は送信することを含み、前記プライマリシステム情報に対応する基礎パラメータセットと前記ターゲット基礎パラメータセットが同じ又は異なることを特徴とする
請求項１１に記載の方法。
【請求項１３】
前記方法はさらに、
前記同期信号の時間周波数位置に基づき、前記プライマリシステム情報の時間周波数位置を確定することを含み、
前記プライマリシステム情報を受信又は送信することは、
前記プライマリシステム情報の時間周波数位置に基づき、前記プライマリシステム情報を受信又は送信することを含むことを特徴とする
請求項１１又は１２に記載の方法。
【請求項１４】
前記同期信号はプライマリ同期信号と前記プライマリ同期信号に対応するセカンダリ同期信号を含み、
前記同期信号の時間周波数位置に基づき、プライマリシステム情報の時間周波数位置を確定することは、
前記プライマリ同期信号の時間周波数開始位置、前記セカンダリ同期信号の時間領域開始位置、及び前記プライマリ同期信号と対応する前記セカンダリ同期信号との時間領域開始位置の時間領域差のうちの少なくとも一つに基づき、プライマリシステム情報の時間領域開始位置を確定することと、
前記プライマリ同期信号の周波数領域開始位置、前記セカンダリ同期信号の周波数領域開始位置、及び前記プライマリ同期信号と対応する前記セカンダリ同期信号との周波数領域開始位置の周波数領域差のうちの少なくとも一つに基づき、プライマリシステム情報の周波数領域開始位置を確定することとを含むことを特徴とする
請求項１３に記載の方法。
【請求項１５】
前記同期信号は前記プライマリシステム情報の時間周波数位置、変調方式と対応する基礎パラメータセットのうちの少なくとも一つを示すことに用いられることを特徴とする
請求項１１又は１２に記載の方法。
【請求項１６】
前記同期信号に対応するシーケンスの全て又は一部、又は前記同期信号のマスクは前記プライマリシステム情報の時間周波数位置、変調方式と対応する基礎パラメータセットのうちの少なくとも一つを示すことに用いられることを特徴とする
請求項１５に記載の方法。
【請求項１７】
前記基礎パラメータセットは、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭシンボルサイクリックプレフィックス（ＣＰ：Ｃｙｃｌｉｃ  Ｐｒｅｆｉｘ）の長さ、ＯＦＤＭ信号を生成するためのフーリエ変換又は逆フーリエ変換のポイント数、伝送時間間隔（ＴＴＩ）におけるＯＦＤＭシンボル数、特定時間長に含まれるＴＴＩの数のうちの少なくとも一つを含むことを特徴とする
請求項１−１６のいずれか一項に記載の方法。
【請求項１８】
前記同期信号を送信するための搬送波、セル又は伝送ノードを確立してから閉じるまでの期間内で、前記ターゲット基礎パラメータセットを確定するための前記複数の基礎パラメータセットが存在することを特徴とする
請求項１−１７のいずれか一項に記載の方法。
【請求項１９】
情報伝送方法であって、
複数の基礎パラメータセットを使用し、ターゲット信号のブラインド検出を行うことと、
ブラインド検出結果に基づき、前記ターゲット信号を取得することとを含む、前記情報伝送方法。
【請求項２０】
前記ターゲット信号は同期信号であり、前記同期信号がプライマリ同期信号と前記プライマリ同期信号に対応するセカンダリ同期信号を含むことを特徴とする
請求項１９に記載の方法。
【請求項２１】
複数の基礎パラメータセットを使用し、同期信号のブラインド検出を行うことは、
複数の基礎パラメータセットの第一のサブセットを使用してプライマリ同期信号のブラインド検出を行うことと、
前記複数の基礎パラメータセットの第二のサブセットを使用してセカンダリ同期信号のブラインド検出を行うこととを含み、
前記第一のサブセットと前記第二のサブセットが異なる基礎パラメータセットを含むことを特徴とする
請求項２０に記載の方法。
【請求項２２】
前記複数の基礎パラメータセットの第二のサブセットを使用してセカンダリ同期信号のブラインド検出を行うことは、
前記プライマリ同期信号、前記プライマリ同期信号と対応するセカンダリ同期信号の相対位置セット、及び前記複数の基礎パラメータセットの第二のサブセットを使用してセカンダリ同期信号のブラインド検出を行うことを含み、ここで、前記第一のサブセットと前記第二のサブセットが少なくとも一つの異なる基礎パラメータセットを含むことを特徴とする
請求項２１に記載の方法。
【請求項２３】
前記第一のサブセットは前記第二のサブセットのサブセットであることを特徴とする
請求項２１又は２２に記載の方法。
【請求項２４】
前記基礎パラメータセットは、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭ信号を生成するためのフーリエ変換又は逆フーリエ変換のポイント数、伝送時間間隔（ＴＴＩ）におけるＯＦＤＭシンボル数、特定時間長に含まれるＴＴＩの数と信号サイクリックプレフィックスの長さのうちの少なくとも一つを含むことを特徴とする
請求項１９−２３のいずれか一項に記載の方法。
【請求項２５】
前記ターゲット信号を送信するための搬送波、セル又は伝送ノードを確立してから閉じるまでの期間内で、前記ターゲット信号のブラインド検出を行うための前記複数の基礎パラメータセットが存在することを特徴とする
請求項１９−２４のいずれか一項に記載の方法。
【請求項２６】
情報伝送装置であって、
複数の基礎パラメータセットから、ターゲット基礎パラメータセットを確定するように構成される処理ユニットと、
前記ターゲット基礎パラメータセットに基づき、同期信号を受信又は送信するように構成される送受信ユニットとを備える、前記情報伝送装置。
【請求項２７】
前記処理ユニットは具体的に、
前記同期信号を送信するための搬送波周波数、
前記同期信号の伝送環境、
前記同期信号を送信するための搬送波、セル又は伝送ノードのカバレッジ範囲、
前記同期信号を送信するための送信電力、及び
前記同期信号を送信するための送信アンテナの形態、高さ、方向とアンテナアレイ素子の数、
という情報のうちの少なくとも一つに基づき、前記複数の基礎パラメータセットから、前記ターゲット基礎パラメータセットを確定するように構成されることを特徴とする
請求項２６に記載の装置。
【請求項２８】
前記処理ユニットは具体的に、
前記情報に基づき、少なくとも一つの基礎パラメータの値を確定し、
前記少なくとも一つの基礎パラメータの値に基づき、前記ターゲット基礎パラメータセットを確定するように構成されることを特徴とする
請求項２７に記載の装置。
【請求項２９】
前記同期信号はプライマリ同期信号と前記プライマリ同期信号に対応するセカンダリ同期信号を含むことを特徴とする
請求項２６−２８のいずれか一項に記載の装置。
【請求項３０】
前記ターゲット基礎パラメータセットは第一の基礎パラメータセットと第二の基礎パラメータセットを含み、前記第一の基礎パラメータセットが前記第二の基礎パラメータセットと異なり、
前記送受信ユニットは具体的に、
前記第一の基礎パラメータセットに基づき、前記プライマリ同期信号を受信又は送信し、
前記第二の基礎パラメータに基づき、前記プライマリ同期信号に対応するセカンダリ同期信号を受信又は送信するように構成されることを特徴とする
請求項２９に記載の装置。
【請求項３１】
前記ターゲット基礎パラメータセットは第一の基礎パラメータセットと第二の基礎パラメータセットを含み、
前記処理ユニットは具体的に前記複数の基礎パラメータセットの第一のサブセットから、前記第一の基礎パラメータセットを選択し、前記第一のサブセットが前記複数の基礎パラメータセットの少なくとも一つの基礎パラメータセットを含み、複数の基礎パラメータセットの第二のサブセットから、第二の基礎パラメータセットを選択するように構成され、前記第二のサブセットが前記複数の基礎パラメータセットの少なくとも一つの基礎パラメータセットを含み、前記第一のサブセットと前記第二のサブセットが少なくとも一つの異なる基礎パラメータセットを含み、
前記送受信ユニットは具体的に前記第一の基礎パラメータセットに基づき、前記プライマリ同期信号を受信又は送信し、前記第二の基礎パラメータセットに基づき、前記セカンダリ同期信号を受信又は送信するように構成されることを特徴とする
請求項２９又は３０に記載の装置。
【請求項３２】
前記送受信ユニットはさらに、
前記第一の基礎パラメータセットに基づき、プライマリシステム情報を受信又は送信し、又は
前記第二の基礎パラメータセットに基づき、プライマリシステム情報を受信又は送信し、又は
前記第三の基礎パラメータセットに基づき、プライマリシステム情報を受信又は送信するように構成され、
ここで、前記第三の基礎パラメータセットが前記第一の基礎パラメータセットと前記第二の基礎パラメータと異なることを特徴とする
請求項３１に記載の装置。
【請求項３３】
前記プライマリ同期信号と対応する前記セカンダリ同期信号との時間領域開始位置の時間領域差が時間領域差セットに属し、前記時間領域差セットが有限セットであり、及び／又は、
前記プライマリ同期信号と対応する前記セカンダリ同期信号との周波数領域開始位置の差が周波数領域差セットに属し、前記周波数領域差セットが有限セットであることを特徴とする
請求項３１又は３２に記載の装置。
【請求項３４】
前記プライマリ同期信号と対応する前記セカンダリ同期信号との時間領域開始位置の時間領域差、及び前記プライマリ同期信号と対応する前記セカンダリ同期信号との周波数領域開始位置の差のうちの少なくとも一つがゼロではないことを特徴とする
請求項３３に記載の装置。
【請求項３５】
前記プライマリ同期信号に占有された時間周波数位置が、対応する前記セカンダリ同期信号に占有された時間周波数位置と重ならないことを特徴とする
請求項３３又は３４に記載の装置。
【請求項３６】
前記送受信ユニットはさらにプライマリシステム情報を受信又は送信するように構成されることを特徴とする
請求項２６−３５のいずれか一項に記載の装置。
【請求項３７】
前記送受信ユニットは具体的に、
前記プライマリシステム情報に対応する基礎パラメータセットに基づき、前記プライマリシステム情報を受信又は送信するように構成され、前記プライマリシステム情報に対応する基礎パラメータセットと前記ターゲット基礎パラメータセットが同じ又は異なることを特徴とする
請求項３６に記載の装置。
【請求項３８】
前記処理ユニットはさらに前記同期信号の時間周波数位置に基づき、プライマリシステム情報の時間周波数位置を確定するように構成され、
前記送受信ユニットはさらに、
前記プライマリシステム情報の時間周波数位置に基づき、前記プライマリシステム情報を受信又は送信するように構成されることを特徴とする
請求項３６又は３７に記載の装置。
【請求項３９】
前記同期信号はプライマリ同期信号と前記プライマリ同期信号に対応するセカンダリ同期信号を含み、
前記処理ユニットは具体的に、
前記プライマリ同期信号の時間周波数開始位置、前記セカンダリ同期信号の時間領域開始位置、及び前記プライマリ同期信号と対応する前記セカンダリ同期信号との時間領域開始位置の時間領域差のうちの少なくとも一つに基づき、プライマリシステム情報の時間領域開始位置を確定し、
前記プライマリ同期信号の周波数領域開始位置、前記セカンダリ同期信号の周波数領域開始位置、及び前記プライマリ同期信号と対応する前記セカンダリ同期信号との周波数領域開始位置の周波数領域差のうちの少なくとも一つに基づき、プライマリシステム情報の周波数領域開始位置を確定するように構成されることを特徴とする
請求項３８に記載の装置。
【請求項４０】
前記同期信号は前記プライマリシステム情報の時間周波数位置、変調方式と対応する基礎パラメータセットのうちの少なくとも一つを示すことに用いられることを特徴とする
請求項３６又は３７に記載の装置。
【請求項４１】
前記同期信号に対応するシーケンスの全て又は一部、又は前記同期信号のマスクは前記プライマリシステム情報の時間周波数位置、変調方式と対応する基礎パラメータセットのうちの少なくとも一つを示すことに用いられることを特徴とする
請求項４０に記載の装置。
【請求項４２】
前記基礎パラメータセットは、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭシンボルサイクリックプレフィックス（ＣＰ：Ｃｙｃｌｉｃ  Ｐｒｅｆｉｘ）の長さ、ＯＦＤＭ信号を生成するためのフーリエ変換又は逆フーリエ変換のポイント数、伝送時間間隔（ＴＴＩ）におけるＯＦＤＭシンボル数、特定時間長に含まれるＴＴＩの数のうちの少なくとも一つを含むことを特徴とする
請求項２６−４１のいずれか一項に記載の装置。
【請求項４３】
前記同期信号を送信するための搬送波、セル又は伝送ノードを確立してから閉じるまでの期間内で、前記ターゲット基礎パラメータセットを確定するための前記複数の基礎パラメータセットが存在することを特徴とする
請求項２６−４２のいずれか一項に記載の装置。
【請求項４４】
情報伝送装置であって、
複数の基礎パラメータセットを使用し、ターゲット信号のブラインド検出を行うように構成される送受信ユニットと、
ブラインド検出結果に基づき、前記ターゲット信号を取得するように構成される処理ユニットとを備える、前記情報伝送装置。
【請求項４５】
前記ターゲット信号は同期信号であり、前記同期信号がプライマリ同期信号と前記プライマリ同期信号に対応するセカンダリ同期信号を含むことを特徴とする
請求項４４に記載の装置。
【請求項４６】
前記送受信ユニットは具体的に、
前記複数の基礎パラメータセットの第一のサブセットを使用してプライマリ同期信号のブラインド検出を行い、
前記複数の基礎パラメータセットの第二のサブセットを使用してセカンダリ同期信号のブラインド検出を行うように構成され、
前記第一のサブセットと前記第二のサブセットが異なる基礎パラメータセットを含むことを特徴とする
請求項４５に記載の装置。
【請求項４７】
前記送受信ユニットは具体的に、
前記プライマリ同期信号、前記プライマリ同期信号と対応するセカンダリ同期信号の相対位置セット、及び前記複数の基礎パラメータセットの第二のサブセットを使用してセカンダリ同期信号のブラインド検出を行うように構成され、ここで、前記第一のサブセットと前記第二のサブセットが少なくとも一つの異なる基礎パラメータセットを含むことを特徴とする
請求項４６に記載の装置。
【請求項４８】
前記第一のサブセットは前記第二のサブセットのサブセットであることを特徴とする
請求項４６又は４７に記載の装置。
【請求項４９】
前記基礎パラメータセットは、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭ信号を生成するためのフーリエ変換又は逆フーリエ変換のポイント数、伝送時間間隔（ＴＴＩ）におけるＯＦＤＭシンボル数、特定時間長に含まれるＴＴＩの数と信号サイクリックプレフィックスの長さのうちの少なくとも一つを含むことを特徴とする
請求項４４−４８のいずれか一項に記載の装置。
【請求項５０】
前記ターゲット信号を送信するための搬送波、セル又は伝送ノードを確立してから閉じるまでの期間内で、前記ターゲット信号のブラインド検出を行うための前記複数の基礎パラメータセットが存在することを特徴とする
請求項４４−４９のいずれか一項に記載の装置。
【発明の詳細な説明】
【技術分野】
【０００１】
本出願の実施例は通信分野に関し、且つより具体的には、情報伝送方法と情報伝送装置に関する。
【背景技術】
【０００２】
ネットワークの発展に伴い、サービスニーズが継続的に増加し、サービスニーズの種類も増加し続けており、従来のネットワーク基準通信プロトコルにおいてネットワーク装置と端末装置がデータを伝送するために統一された基礎パラメータを使用し、例えば、通信プロトコルにおいて、長期進化（ＬＴＥ：Ｌｏｎｇ  Ｔｅｒｍ  Ｅｖｏｌｕｔｉｏｎ）システムにおける基礎パラメータセット（ｎｕｍｅｒｏｌｏｇｙ）は、一つの無線フレームが１０ｍｓであり、一つの無線フレームに１０つのサブフレームが含まれ、一つのサブフレームに２つのタイムスロットが含まれ、一つのタイムスロットに７つのシンボルが含まれ、周波数における連続する１２つのサブ搬送波、時間領域における一つのタイムスロットが一つのリソースブロック（ＲＢ：Ｒｅｓｏｕｒｃｅ  Ｂｌｏｃｋ）を構成し、各サブ搬送波間隔が１５ｋなどであることが規定され、サービスが多様性になるにつれ、単一の基礎パラメータセットは既に信号の伝送要求に適合することができない。
【発明の概要】
【発明が解決しようとする課題】
【０００３】
本出願の実施例は信号の伝送要求を満たすことができる情報伝送方法及び装置を提供する。
【課題を解決するための手段】
【０００４】
情報伝送方法は、
複数の基礎パラメータセットから、ターゲット基礎パラメータセットを確定することと、
前記ターゲット基礎パラメータセットに基づき、同期信号を受信又は送信することとを含む。
【０００５】
第一の態様と組み合わせ、第一の態様の第一の可能な実施形態では、複数の基礎パラメータセットから、ターゲット基礎パラメータセットを確定することは、
前記同期信号を送信するための搬送波周波数、
前記同期信号の伝送環境、
前記同期信号を送信するための搬送波、セル又は伝送ノードのカバレッジ範囲、
前記同期信号を送信するための送信電力、及び
前記同期信号を送信するための送信アンテナの形態、高さ、方向とアンテナアレイ素子の数、
という情報のうちの少なくとも一つに基づき、前記複数の基礎パラメータセットから、前記ターゲット基礎パラメータセットを確定することを含む。
【０００６】
第一の態様又はその上記のいずれかの可能な実施形態と組み合わせ、第一の態様の第二の可能な実施形態では、複数の基礎パラメータセットから、前記ターゲット基礎パラメータセットを確定することは、
前記情報に基づき、少なくとも一つの基礎パラメータの値を確定することと、
前記少なくとも一つの基礎パラメータの値に基づき、前記ターゲット基礎パラメータセットを確定することとを含む。
【０００７】
第一の態様又はその上記のいずれかの可能な実施形態と組み合わせ、第一の態様の第三の可能な実施形態では、前記同期信号はプライマリ同期信号と前記プライマリ同期信号に対応するセカンダリ同期信号を含む。
【０００８】
第一の態様又はその上記のいずれかの可能な実施形態と組み合わせ、第一の態様の第四の可能な実施形態では、前記ターゲット基礎パラメータセットは第一の基礎パラメータセットと第二の基礎パラメータセットを含み、前記第一の基礎パラメータセットが前記第二の基礎パラメータセットと異なり、
前記ターゲット基礎パラメータに基づいて、同期信号を受信又は送信することは、
前記第一の基礎パラメータセットに基づき、前記プライマリ同期信号を受信又は送信することと、
前記第二の基礎パラメータに基づき、前記プライマリ同期信号に対応するセカンダリ同期信号を受信又は送信することとを含む。
【０００９】
第一の態様又はその上記のいずれかの可能な実施形態と組み合わせ、第一の態様の第五の可能な実施形態では、前記ターゲット基礎パラメータセットは第一の基礎パラメータセットと第二の基礎パラメータセットを含み、
複数の基礎パラメータセットから、ターゲット基礎パラメータセットを確定することは、前記複数の基礎パラメータセットの第一のサブセットから、前記第一の基礎パラメータセットを選択し、前記第一のサブセットが前記複数の基礎パラメータセットの少なくとも一つの基礎パラメータセットを含むことと、複数の基礎パラメータセットの第二のサブセットから、第二の基礎パラメータセットを選択し、前記第二のサブセットが前記複数の基礎パラメータセットの少なくとも一つの基礎パラメータセットを含み、前記第一のサブセットと前記第二のサブセットが少なくとも一つの異なる基礎パラメータセットを含むこととを含み、
前記ターゲット基礎パラメータセットに基づき、同期信号を受信又は送信することは、前記第一の基礎パラメータセットに基づき、前記プライマリ同期信号を受信又は送信することと、前記第二の基礎パラメータセットに基づき、前記セカンダリ同期信号を受信又は送信することとを含む。
【００１０】
第一の態様又はその上記のいずれかの可能な実施形態と組み合わせ、第一の態様の第六の可能な実施形態では、前記方法はさらに、
前記第一の基礎パラメータセットに基づき、プライマリシステム情報を受信又は送信すること、又は
前記第二の基礎パラメータセットに基づき、プライマリシステム情報を受信又は送信すること、又は
前記第三の基礎パラメータセットに基づき、プライマリシステム情報を受信又は送信することを含み、
ここで、前記第三の基礎パラメータセットが前記第一の基礎パラメータセットと前記第二の基礎パラメータセットと異なる。
【００１１】
第一の態様又はその上記のいずれかの可能な実施形態と組み合わせ、第一の態様の第七の可能な実施形態では、前記プライマリ同期信号と対応する前記セカンダリ同期信号との時間領域開始位置の時間領域差が時間領域差セットに属し、前記時間領域差セットが有限セットであり、及び／又は、
前記プライマリ同期信号と対応する前記セカンダリ同期信号との周波数領域開始位置の差が周波数領域差セットに属し、前記周波数領域差セットが有限セットである。
【００１２】
第一の態様又はその上記のいずれかの可能な実施形態と組み合わせ、第一の態様の第八の可能な実施形態では、前記プライマリ同期信号と対応する前記セカンダリ同期信号との時間領域開始位置の時間領域差、及び前記プライマリ同期信号と対応する前記セカンダリ同期信号との周波数領域開始位置の差のうちの少なくとも一つがゼロではない。
【００１３】
第一の態様又はその上記のいずれかの可能な実施形態と組み合わせ、第一の態様の第九の可能な実施形態では、前記プライマリ同期信号に占有された時間周波数位置が対応する前記セカンダリ同期信号に占有された時間周波数位置と重ならない。
【００１４】
第一の態様又はその上記のいずれかの可能な実施形態と組み合わせ、第一の態様の第十の可能な実施形態では、前記方法はさらに、
前記プライマリシステム情報を受信又は送信することを含む。
【００１５】
第一の態様又はその上記のいずれかの可能な実施形態と組み合わせ、第一の態様の第十一の可能な実施形態では、前記プライマリシステム情報を受信又は送信することは、
前記プライマリシステム情報に対応する基礎パラメータセットに基づき、前記プライマリシステム情報を受信又は送信することを含み、前記プライマリシステム情報に対応する基礎パラメータセットと前記ターゲット基礎パラメータセットが同じ又は異なる。
【００１６】
第一の態様又はその上記のいずれかの可能な実施形態と組み合わせ、第一の態様の第十二の可能な実施形態では、前記方法はさらに、
前記同期信号の時間周波数位置に基づき、前記プライマリシステム情報の時間周波数位置を確定することを含み、
前記プライマリシステム情報を受信又は送信することは、
前記プライマリシステム情報の時間周波数位置に基づき、前記プライマリシステム情報を受信又は送信することを含む。
【００１７】
第一の態様又はその上記のいずれかの可能な実施形態と組み合わせ、第一の態様の第十三の可能な実施形態では、前記同期信号はプライマリ同期信号と前記プライマリ同期信号に対応するセカンダリ同期信号を含み、
前記同期信号の時間周波数位置に基づき、プライマリシステム情報の時間周波数位置を確定することは、
前記プライマリ同期信号の時間周波数開始位置、前記セカンダリ同期信号の時間領域開始位置、及び前記プライマリ同期信号と対応する前記セカンダリ同期信号との時間領域開始位置の時間領域差のうちの少なくとも一つに基づき、プライマリシステム情報の時間領域開始位置を確定することと、
前記プライマリ同期信号の周波数領域開始位置、前記セカンダリ同期信号の周波数領域開始位置、及び前記プライマリ同期信号と対応する前記セカンダリ同期信号との周波数領域開始位置の周波数領域差のうちの少なくとも一つに基づき、プライマリシステム情報の周波数領域開始位置を確定することとを含む。
【００１８】
第一の態様又はその上記のいずれかの可能な実施形態と組み合わせ、第一の態様の第十四の可能な実施形態では、前記同期信号は前記プライマリシステム情報の時間周波数位置、変調方式と対応する基礎パラメータセットのうちの少なくとも一つを示すことに用いられる。
【００１９】
第一の態様又はその上記のいずれかの可能な実施形態と組み合わせ、第一の態様の第十五の可能な実施形態では、前記同期信号に対応するシーケンスの全て又は一部、又は前記同期信号のマスクは前記プライマリシステム情報の時間周波数位置、変調方式と対応する基礎パラメータセットのうちの少なくとも一つを示すことに用いられる。
【００２０】
第一の態様又はその上記のいずれかの可能な実施形態と組み合わせ、第一の態様の第十六の可能な実施形態では、前記基礎パラメータセットは、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭシンボルサイクリックプレフィックス（ＣＰ：Ｃｙｃｌｉｃ  Ｐｒｅｆｉｘ）の長さ、ＯＦＤＭ信号を生成するためのフーリエ変換又は逆フーリエ変換のポイント数、伝送時間間隔（ＴＴＩ）におけるＯＦＤＭシンボル数、特定時間長に含まれるＴＴＩの数のうちの少なくとも一つを含む。
【００２１】
第一の態様又はその上記のいずれかの可能な実施形態と組み合わせ、第一の態様の第十七の可能な実施形態では、前記同期信号を送信するための搬送波、セル又は伝送ノードを確立してから閉じるまでの期間内で、前記ターゲット基礎パラメータセットを確定するための前記複数の基礎パラメータセットが存在する。
【００２２】
第二の態様による情報伝送方法は、
複数の基礎パラメータセットを使用し、ターゲット信号のブラインド検出を行うことと、
ブラインド検出結果に基づき、前記ターゲット信号を取得することとを含む。
【００２３】
第二の態様と組み合わせ、第二の態様の第一の可能な実施形態では、前記ターゲット信号は同期信号であり、前記同期信号がプライマリ同期信号と前記プライマリ同期信号に対応するセカンダリ同期信号を含む。
【００２４】
第二の態様又はそのいずれかの可能な実施形態と組み合わせ、第二の態様の第二の可能な実施形態では、複数の基礎パラメータセットを使用し、同期信号のブラインド検出を行うことは、
複数の基礎パラメータセットの第一のサブセットを使用してプライマリ同期信号のブラインド検出を行うことと、
前記複数の基礎パラメータセットの第二のサブセットを使用してセカンダリ同期信号のブラインド検出を行うこととを含み、
前記第一のサブセットと前記第二のサブセットが異なる基礎パラメータセットを含む。
【００２５】
第二の態様又はそのいずれかの可能な実施形態と組み合わせ、第二の態様の第三の可能な実施形態では、前記複数の基礎パラメータセットの第二のサブセットを使用してセカンダリ同期信号のブラインド検出を行うことは、
前記プライマリ同期信号、前記プライマリ同期信号と対応するセカンダリ同期信号の相対位置セット、及び前記複数の基礎パラメータセットの第二のサブセットを使用してセカンダリ同期信号のブラインド検出を行うことを含み、ここで、前記第一のサブセットと前記第二のサブセットが少なくとも一つの異なる基礎パラメータセットを含む。
【００２６】
第二の態様又はその上記のいずれかの可能な実施形態と組み合わせ、第二の態様の第四の可能な実施形態では、前記第一のサブセットは前記第二のサブセットのサブセットである。
【００２７】
第二の態様又はその上記のいずれかの可能な実施形態と組み合わせ、第二の態様の第五の可能な実施形態では、前記基礎パラメータセットは、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭ信号を生成するためのフーリエ変換又は逆フーリエ変換のポイント数、伝送時間間隔（ＴＴＩ）におけるＯＦＤＭシンボル数、特定時間長に含まれるＴＴＩの数と信号サイクリックプレフィックスの長さのうちの少なくとも一つを含む。
【００２８】
第二の態様又はその上記のいずれかの可能な実施形態と組み合わせ、第二の態様の第六の可能な実施形態では、前記ターゲット信号を送信するための搬送波、セル又は伝送ノードを確立してから閉じるまでの期間内で、前記ターゲット信号のブラインド検出を行うための前記複数の基礎パラメータセットが存在する。
【００２９】
第三の態様による情報伝送装置は、上記第一の態様又は第一の態様のいずれかの選択可能な実施形態における方法を実行することに用いられる。具体的には、該情報伝送装置は上記第一の態様又は第一の態様のいずれかの可能な実施形態における方法を実行するためのユニットを備える。
【００３０】
第四の態様による情報伝送装置は、上記第二の態様又は第二の態様のいずれかの選択可能な実施形態における方法を実行することに用いられる。具体的には、該情報伝送装置は上記第二の態様又は第二の態様のいずれかの可能な実施形態における方法を実行するためのユニットを備える。
【００３１】
第五の態様による情報伝送装置は、メモリとプロセッサを備え、該メモリが命令を記憶することに用いられ、該プロセッサが該メモリに記憶された命令を実行することに用いられ、且つ該プロセッサが該メモリに記憶された命令を実行する場合、該実行により該プロセッサが第一の態様又は第一の態様のいずれかの可能な実施形態における方法を実行する。
【００３２】
第六の態様による情報伝送装置は、メモリとプロセッサを備え、該メモリが命令を記憶することに用いられ、該プロセッサが該メモリに記憶された命令を実行することに用いられ、且つ該プロセッサが該メモリに記憶された命令を実行する場合、該実行により該プロセッサが第二の態様又は第二の態様のいずれかの可能な実施形態における方法を実行する。
【００３３】
第七の態様によるコンピュータ記憶媒体は、上記第一の態様又は第一の態様のいずれかの選択可能な実施形態における方法を実行するためのプログラムコードを記憶する。
【００３４】
第八の態様によるコンピュータ記憶媒体は、上記第二の態様又は第二の態様のいずれかの選択可能な実施形態における方法を実行するためのプログラムコードを記憶する。
【００３５】
従って、本出願の実施例では、複数の基礎パラメータセットから、同期信号伝送のためのターゲット基礎パラメータセットを選択することにより、同期信号の伝送を行うために単一の基礎パラメータセットのみを使用することを回避することができ、信号伝送要求に基づいてターゲット基礎パラメータセットを選択して同期信号の伝送を行うことができる。
【図面の簡単な説明】
【００３６】
【図１】本出願の実施例による情報伝送方法の概略フローチャートである。
【図２】本出願の実施例によるプライマリ同期信号と対応するセカンダリ同期信号の相対位置の概略図である。
【図３】本出願の実施例による情報伝送方法の概略フローチャートである。
【図４】本出願の実施例による情報伝送方法の概略ブロック図である。
【図５】本出願の実施例による情報伝送方法の概略ブロック図である。
【図６】本出願の実施例による情報伝送装置の概略ブロック図である。
【図７】本出願の実施例による情報伝送方法の概略ブロック図である。
【発明を実施するための形態】
【００３７】
本出願の実施例の技術的解決策をより明確に説明するために、以下に実施例又は従来技術の説明に必要な図面を簡単に説明し、明らかに、以下に記載される図面が本発明のくつかの実施例だけであり、当業者であれば、創造的な労力を要することなく、これらの図面に基づいて他の図面を得ることができる。
【００３８】
以下に本出願の実施例の図面を組み合わせながら、本出願の実施例における技術的解決策を明確で、全面的に説明し、明らかに、説明される実施例は本出願の一部の実施例だけであり、全ての実施例ではない。本出願の実施例に基づき、当業者が創造的な労力を要せずに得た他の実施例は、全て本出願の保護範囲に属する。
【００３９】
本出願の様々な態様又は特徴は方法、装置又は標準プログラミング及び／又はエンジニアリング技術を使用した製品として実現されてもよい。本出願に使用される用語「製品」はいかなるコンピュータ可読デバイス、キャリア又は媒体からアクセス可能なコンピュータプログラムを包含する。例えば、コンピュータ可読媒体は磁気記憶デバイス（例えばハードディスク、フロッピーディスク又はテープなど）、光ディスク（例えばＣＤ（圧縮ディスク：Ｃｏｍｐａｃｔ  Ｄｉｓｋ）、ＤＶＤ（デジタル多用途ディスク：Ｄｉｇｉｔａｌ  Ｖｅｒｓａｔｉｌｅ  Ｄｉｓｋ）など）、スマートカードとフラッシュメモリデバイス（例えばＥＰＲＯＭ（消去可能なプログラム可能な読み出し専用メモリ：Ｅｒａｓａｂｌｅ  Ｐｒｏｇｒａｍｍａｂｌｅ  Ｒｅａｄ−Ｏｎｌｙ  Ｍｅｍｏｒｙ）、カード、スティック又はキードライブなど）を含むことができるがこれらに限定されない。また、本明細書で説明される様々な記憶媒体は情報を記憶するための一つ又は複数の装置及び／又は他の機械可読媒体を表すことができる。用語「機械可読媒体」は無線チャネルと命令及び／又はデータを記憶、包含及び／又は搬送することができる様々な他の媒体とを含むことができるがこれらに限定されない。
【００４０】
本出願の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、高度な長期進化（ＬＴＥ−Ａ：Ａｄｖａｎｃｅｄ  ｌｏｎｇ  ｔｅｒｍ  ｅｖｏ１ｕｔｉｏｎ）システム、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、５Ｇなどに応用されてもよい。
【００４１】
本出願の実施例の技術的解決策は端末装置とネットワーク装置との通信に応用されてもよいし、端末装置対端末装置（Ｄ２Ｄ：Ｄｅｖｉｃｅ  ｔｏ  Ｄｅｖｉｃｅ）の通信に適用されてもよい。
【００４２】
本出願の実施例では、ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡにおける基地局（ＮｏｄｅＢ）であってもよいし、ＬＴＥにおける進化型基地局（ｅＮＢ又はｅＮｏｄｅＢ：Ｅｖｏｌｕｔｉｏｎａｌ  Ｎｏｄｅ  Ｂ）であってもよく、さらに５Ｇにおけるサービスアクセスを提供するための装置であってもよく、本出願の実施例で限定されない。
【００４３】
本出願は端末装置とネットワーク装置と組み合わせて様々な実施例を説明する。
【００４４】
端末装置はユーザ装置（ＵＥ：Ｕｓｅｒ  Ｅｑｕｉｐｍｅｎｔ）、アクセス端末、ユーザユニット、加入者局、移動局、移動サイト、遠隔局、遠隔端末、移動装置、ユーザ端末、端末、無線通信装置、ユーザエージェント又はユーザ装置などと呼ばれてもよい。端末装置はＷＬＡＮ（無線ローカルエリアネットワーク：Ｗｉｒｅｌｅｓｓ  Ｌｏｃａｌ  Ａｒｅａ  Ｎｅｔｗｏｒｋｓ）におけるＳＴ（ステーション：ＳＴＡＴＩＯＮ）であってもよいし、セルラー電話、コードレス電話、ＳＩＰ（セッション開始プロトコル：Ｓｅｓｓｉｏｎ  Ｉｎｉｔｉａｔｉｏｎ  Ｐｒｏｔｏｃｏｌ）電話、ＷＬＬ（無線ローカルループ：Ｗｉｒｅｌｅｓｓ  Ｌｏｃａｌ  Ｌｏｏｐ）サイト、ＰＤＡ（パーソナルデジタル処理：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス及び将来の５Ｇネットワークにおける端末装置又は将来の進化したＰＬＭＮネットワークにおける端末装置などであってもよい。
【００４５】
ネットワーク装置は端末装置と通信するための装置であってもよく、ネットワーク装置はＷＬＡＮ（無線ローカルエリアネットワーク：Ｗｉｒｅｌｅｓｓ  Ｌｏｃａｌ  Ａｒｅａ  Ｎｅｔｗｏｒｋｓ）におけるＡＰ（アクセスポイント：ＡＣＣＥＳＳ  ＰＯＩＮＴ）、ＧＳＭ又はＣＤＭＡ（符号分割多元アクセス：Ｃｏｄｅ  Ｄｉｖｉｓｉｏｎ  Ｍｕｌｔｉｐｌｅ  Ａｃｃｅｓｓ）におけるＢＴＳ（基地局：Ｂａｓｅ  Ｔｒａｎｓｃｅｉｖｅｒ  Ｓｔａｔｉｏｎ）であってもよいし、ＷＣＤＭＡにおけるＮＢ（基地局：ＮｏｄｅＢ）であってもよいし、ＬＴＥ（長期進化：Ｌｏｎｇ  Ｔｅｒｍ  Ｅｖｏｌｕｔｉｏｎ）におけるｅＮＢ又はｅＮｏｄｅＢ（進化型基地局：Ｅｖｏｌｕｔｉｏｎａｌ  Ｎｏｄｅ  Ｂ）、又は中継局又はアクセスポイント、又は車載デバイス、ウェアラブルデバイス及び将来の５Ｇネットワークにおけるネットワーク装置又は将来の進化したＰＬＭＮネットワークにおけるネットワーク装置などであってもよい。
【００４６】
本出願の実施例に記載される基礎パラメータセットは、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭ信号を生成するためのフーリエ変換例えば高速フーリエ変換（Ｆａｓｔ  Ｆｏｕｒｉｅｒ  Ｔｒａｎｓｆｏｒｍ：「ＦＦＴ」と略称）又は逆フーリエ変換例えば高速逆フーリエ変換（Ｉｎｖｅｒｓｅ  Ｆａｓｔ  Ｆｏｕｒｉｅｒ  Ｔｒａｎｓｆｏｒｍ：「ＩＦＦＴ」と略称）のポイント数、伝送時間間隔（ＴＴＩ）におけるＯＦＤＭシンボル数、特定時間長に含まれるＴＴＩの数と信号のプレフィックスの長さのうちの少なくとも一つを含むことができる。
【００４７】
ここで、サブ搬送波間隔が隣接するサブ搬送波の周波数間隔、例えば１５ｋＨｚ、６０ｋＨｚなどであり、特定帯域幅におけるサブ搬送波の数が例えば可能なシステム帯域幅ごとに対応するサブ搬送波の数であり、ＰＲＢに含まれるサブ搬送波の数が例えば典型的に１２の整数倍であってもよく、ＴＴＩに含まれるＯＦＤＭシンボルの数が例えば典型的に１４の整数倍であってもよく、一定時間単位内に含まれるＴＴＩの数が１ｍｓ又は１０ｍｓの時間長内に含まれるＴＴＩの数であってもよく、信号プレフィックスの長さが例えば信号のサイクリックプレフィックスの時間長であり、又はサイクリックプレフィックスが通常のＣＰで拡張されるとか、ＣＰで拡張されるとかである。
【００４８】
選択可能に、本出願の実施例では、前記同期信号を送信するための搬送波、セル又は伝送ノードを確立してから閉じるまでの期間内で、前記ターゲット基礎パラメータセットを確定するための前記複数の基礎パラメータセットが存在する。
【００４９】
図１は本出願の実施例による情報伝送方法１００の概略フローチャートである。ここで、該方法１００は同期信号の送信プロセス又は受信プロセスに用いられてもよく、ここで、同期信号の送信側がネットワーク装置であってもよく、受信側が端末装置であってもよく、又は、同期信号の送信側が端末装置であってもよく、受信側が別の端末装置であってもよい。
【００５０】
図１に示すように、該方法は１１０及び１２０を含む。
【００５１】
１１０において、複数の基礎パラメータセットから、ターゲット基礎パラメータセットを確定する。
【００５２】
１２０において、前記ターゲット基礎パラメータセットに基づき、同期信号を受信又は送信する。
【００５３】
したがって、本出願の実施例では、複数の基礎パラメータセットから、同期信号伝送のためのターゲット基礎パラメータセットを選択することにより、同期信号の伝送を行うために単一の基礎パラメータセットのみを使用することを回避することができ、信号伝送要求に基づいてターゲット基礎パラメータセットを選択して同期信号の伝送を行うことができる。
【００５４】
選択可能に、本出願の実施例では、以下の情報のうちの少なくとも一つに基づき、前記複数の基礎パラメータセットから、前記ターゲット基礎パラメータセットを確定することができる：
前記同期信号を送信するための搬送波周波数、
前記同期信号の伝送環境、例えば都市環境、高速道路と高速鉄道、山岳環境又は農村環境など、
前記同期信号を送信するための搬送波、セル又は伝送ノードのカバレッジ範囲、
前記同期信号を送信するための送信電力、及び
前記同期信号を送信するための送信アンテナの形態、高さ、方向とアンテナアレイ素子の数。
【００５５】
選択可能に、本出願の実施例に記載されるアンテナ形態は無指向性アンテナ、指向性アンテナ（また円形アンテナアレイ、線形アンテナアレイ、パネルアンテナアレイに分けられてもよい）などを含む。
【００５６】
選択可能に、本出願の実施例では、上記情報に基づき、少なくとも一つの基礎パラメータの値を確定し、前記少なくとも一つの基礎パラメータの値に基づき、前記ターゲット基礎パラメータセットを確定することができる。
【００５７】
例えば、同期信号を伝送するための搬送波周波数が６ＧＨｚ以下である場合、同期信号を伝送するためのサブ搬送波間隔は１５ＫＨｚ又は３０ＫＨｚであってもよいことを確定することができ、サブ搬送波間隔を確定した後、サブ搬送波間隔が１５ＫＨｚ又は３０ＫＨｚである基礎パラメータセットをターゲット基礎パラメータセットとして確定することができる。
【００５８】
例えば、同期信号を伝送するための搬送波周波数が６０ＧＨｚである場合、同期信号を伝送するためのサブ搬送波間隔が６０ＫＨｚ又は１２０ＫＨｚであることを確定することができ、サブ搬送波間隔を確定した後、サブ搬送波間隔が６０ＫＨｚ又は１２０ＫＨｚである基礎パラメータセットをターゲット基礎パラメータセットして確定することができる。
【００５９】
選択可能に、本出願の実施例に記載される同期信号はプライマリ同期信号及び／又は該プライマリ同期信号に対応するセカンダリ同期信号を含むことができる。
【００６０】
本出願を容易に理解するために、以下に、どのように信号の伝送を行うかについて、プライマリ同期信号と該プライマリ同期信号に対応するセカンダリ同期信号を組み合わせて詳細に説明する。
【００６１】
選択可能に、本出願の実施例では、ターゲット基礎パラメータセットはプライマリ同期信号を受信又は送信するための第一の基礎パラメータセット、及びセカンダリ同期信号を受信又は送信するための第二の基礎パラメータセットを含むことができる。ここで、第一の基礎パラメータセットと第二の基礎パラメータセットは同じであってもよく、又は異なっていてもよい。
【００６２】
ここで、第一の基礎パラメータセットと第二の基礎パラメータセットが異なることは、第一の基礎パラメータセットと第二のパラメータセットにおける全てのパラメータの値が異なること、又は、第一の基礎パラメータセットと第二の基礎パラメータセットの一部のパラメータの値が異なることを指すことができる。
【００６３】
選択可能に、本出願の実施例では、複数の基礎パラメータセットの第一のサブセットから、第一の基礎パラメータセットを選択し、第一のサブセットが前記複数の基礎パラメータセットの少なくとも一つの基礎パラメータセットを含み、複数の基礎パラメータセットの第二のサブセットから、第二の基礎パラメータセットを選択し、前記第二のサブセットが前記複数の基礎パラメータセットの少なくとも一つの基礎パラメータセットを含み、前記第一のサブセットと前記第二のサブセットが少なくとも一つの異なる基礎パラメータセットを含む。
【００６４】
一つの実施形態では、第一のサブセットと第二のサブセットは完全に異なる基礎パラメータセットを含むことができる。
【００６５】
例えば、本出願の実施例では、複数の基礎パラメータセットの一部の基礎パラメータセット（第一のサブセットと呼ばれてもよい）から、プライマリ同期信号を受信又は送信するための第一の基礎パラメータセットを選択し、複数の基礎パラメータセットの別の一部の基礎パラメータセット（第二のサブセットと呼ばれてもよい）から、セカンダリ同期信号を受信又は送信するための第二の基礎パラメータセットを選択する。この場合、第一の基礎パラメータセットは第二の基礎パラメータセットと異なってもよい。
【００６６】
一つの実現形態では、第一のサブセットは第二のサブセットのサブセットであってもよく、即ち、第一のサブセットの基礎パラメータセットは第二のサブセットに属する。
【００６７】
例えば、本出願の実施例では、複数の基礎パラメータセット（第二のサブセットと呼ばれてもよい）から、セカンダリ同期信号を受信又は送信するための第二の基礎パラメータセットを選択し、複数の基礎パラメータセットの一部の基礎パラメータセット（第一のサブセットと呼ばれてもよい）から、プライマリ同期信号を受信又は送信するための第一の基礎パラメータセットを選択する。この場合、第二の基礎パラメータセットの選択可能範囲が第一の基礎パラメータセットの選択可能範囲よりも大きく、第一の基礎パラメータセットと第二の基礎パラメータセットが同じであってもよく、又は異なってもよい。
【００６８】
選択可能に、本出願の実施例では、プライマリ同期信号（ＰＳＳ：Ｐｒｉｍａｒｙ  Ｓｙｎｃｈｒｏｎｉｚａｔｉｏｎ  Ｓｉｇｎａｌ）の時間領域開始位置ｔｐｓｓ−ｓｔａｒｔと対応する各セカンダリ同期信号（ＳＳＳ：Ｓｅｃｏｎｄａｒｙ  Ｓｙｎｃｈｒｏｎｉｚａｔｉｏｎ  Ｓｉｇｎａｌ）の時間領域開始位置ｔｓｓｓ−ｓｔａｒの時間領域差ｔｐｓｓ−ｓｓｓ−ｏｆｆｓｅｔが時間領域差値セットＴｐｓｓ−ｓｓｓ−ｏｆｆｓｅｔに属し、及び／又は、プライマリ同期信号の周波数領域開始位置ｆｓｓｓ−ｓｔａｒと対応するセカンダリ同期信号との周波数領域開始位置ｆｓｓｓ−ｓｔａｒとの差ｆｐｓｓ−ｓｓｓ−ｏｆｆｓｅｔが周波数領域差セットＦｐｓｓ−ｓｓｓ−ｏｆｆｓｅｔに属する。
【００６９】
選択可能に、時間領域差セットＴｐｓｓ−ｓｓｓ−ｏｆｆｓｅｔ及びＦｐｓｓ−ｓｓｓ−ｏｆｆｓｅｔが有限セットである。
【００７０】
選択可能に、時間領域差セットＴｐｓｓ−ｓｓｓ−ｏｆｆｓｅｔ及びＦｐｓｓ−ｓｓｓ−ｏｆｆｓｅｔが有限セットである。
【００７１】
選択可能に、プライマリ同期信号と対応するセカンダリ同期信号との時間領域開始位置の差及び／又は周波数領域開始位置の差は、使用される搬送波周波数に関連付けられてもよく、具体的には、使用される搬送波周波数に基づいてプライマリ同期信号と対応するセカンダリ同期信号との時間領域開始位置の差及び／又は周波数領域開始位置の差を選択することができる。
【００７２】
本出願の実施例では、ｔｐａｓｓ−ｓｓｓ−ｏｆｆｓｅｔが正数、負数又は０であってもよく、ｔｐａｓｓ−ｓｓｓ−ｏｆｆｓｅｔが正数である場合、プライマリ同期信号の時間領域開始位置が対応するセカンダリ同期信号の時間領域開始位置よりも大きいことを示し、ｔｐａｓｓ−ｓｓｓ−ｏｆｆｓｅｔが正数である場合、プライマリ同期信号の時間領域開始位置が対応するセカンダリ同期信号の時間領域開始位置よりも小さいことを示す。ｔｐａｓｓ−ｓｓｓ−ｏｆｆｓｅｔがゼロである場合、プライマリ同期信号の時間領域開始位置が対応するセカンダリ同期信号の時間領域開始位置に等しいことを示す。
【００７３】
本出願の実施例では、ｆｐａｓｓ−ｓｓｓ−ｏｆｆｓｅｔが正数、負数又は０であってもよく、ｆｐａｓｓ−ｓｓｓ−ｏｆｆｓｅｔが正数である場合、プライマリ同期信号の周波数領域開始位置が対応するセカンダリ同期信号の周波数領域開始位置よりも大きいことを示し、ｆｐａｓｓ−ｓｓｓ−ｏｆｆｓｅｔが正数である場合、プライマリ同期信号の周波数領域開始位置が対応するセカンダリ同期信号の周波数領域開始位置よりも小さいことを示す。ｆｐａｓｓ−ｓｓｓ−ｏｆｆｓｅｔがゼロである場合、プライマリ同期信号の周波数領域開始位置が対応するセカンダリ同期信号の周波数領域開始位置に等しいことを示す。
【００７４】
選択可能に、本出願の実施例では、ｆｐａｓｓ−ｓｓｓ−ｏｆｆｓｅｔとｔｐａｓｓ−ｓｓｓ−ｏｆｆｓｅｔが同時にゼロではない場合、プライマリ同期信号と対応するセカンダリ同期信号の時間領域開始位置が少なくとも時間領域又は周波数領域において異なることを示す。
【００７５】
選択可能に、本出願の実施例では、プライマリ同期信号に占有された時間周波数位置が、対応するセカンダリ同期信号に占有された時間周波数位置と重ならなく、例えば図２に示される。
【００７６】
図２に示すシーン（ＰＳＳの時間領域開始位置及び周波数領域開始位置がそれぞれＳＳＳの時間領域開始位置及び周波数領域開始位置よりも前に位置する）において、ＰＳＳの時間領域開始位置とＳＳＳの時間領域開始位置は、ｔｓｓｓ−ｓｔａｒｔ＋ｔｓｓｓ−ｓｉｚｅ＜＝ｔｐｓｓ−ｓｔａｒｔという条件を満たすことができ、ＰＳＳの周波数領域開始位置とＳＳＳの周波数領域開始位置はｆｐｓｓ−ｓｔａｒｔ＋ｆｐｓｓ−ｓｉｚｅ＜＝ｆｓｓｓ−ｓｔａｒｔという条件を満たすことができる。
【００７７】
理解すべきものとして、図２は本出願の実施例の一つのシーンだけであるるが、本出願の実施例は他のシーンがあり、例えば、ＳＳＳの周波数領域開始位置がＰＳＳの周波数領域開始位置の前に位置する場合、ＰＳＳの周波数領域開始位置とＳＳＳの周波数領域開始位置はｆｓｓｓ−ｓｔａｒｔ＋ｆｓｓｓ−ｓｉｚｅ＜＝ｆｐｓｓ−ｓｔａｒｔという条件を満たすことができ、例えば、ＳＳＳの時間領域開始位置がＰＳＳの時間領域開始位置の前に位置する場合、ＰＳＳの周波数領域開始位置とＳＳＳの周波数領域開始位置はｔｐｓｓ−ｓｔａｒｔ＋ｔｐｓｓ−ｓｉｚｅ＜＝ｔｓｓｓ−ｓｔａｒｔという条件を満たすことができる。
【００７８】
理解すべきものとして、本出願の実施例に記載される前方又は後方は一つの相対的な概念だけであり、図面の説明習慣に従って前方及び／又は後方を設定することができる。
【００７９】
以上に同期信号の受信又は送信を説明し、以下にどのように同期信号の受信又は送信と組み合わせてプライマリシステム情報の受信及び送信を行うかを説明する。本出願の実施例では、プライマリシステム情報はマスタ情報ブロック（ＭＩＢ：Ｍａｓｔｅｒ  Ｉｎｆｏｒｍａｔｉｏｎ）と呼ばれてもよい。
【００８０】
選択可能に、本出願の実施例では、前記同期信号の時間周波数位置に基づき、プライマリシステム情報の時間周波数位置を確定し、前記プライマリシステム情報の時間周波数位置に基づき、前記プライマリシステム情報を受信又は送信することができる。
【００８１】
一つの実施形態では、前記プライマリ同期信号の時間周波数開始位置、前記セカンダリ同期信号の時間領域開始位置、及びプライマリ同期信号と対応するセカンダリ同期信号との時間領域開始位置の時間領域差のうちの少なくとも一つに基づき、プライマリシステム情報の時間領域開始位置を確定し、前記プライマリ同期信号の周波数領域開始位置、前記セカンダリ同期信号の周波数領域開始位置、及び隣接しているプライマリ同期信号とセカンダリ同期信号との周波数領域開始位置の周波数領域差のうちの少なくとも一つに基づき、プライマリシステム情報の周波数領域開始位置を確定することができる。
【００８２】
例えば、ＭＩＢの時間周波数位置はＰＳＳ及び／又はＳＳＳの位置、及び／又はＰＳＳとＳＳＳの時間周波数相対位置（オフセット：ｏｆｆｓｅｔ）ｆｐｓｓ−ｓｓｓ−ｏｆｆｓｅｔとｔｐｓｓ−ｓｓｓ−ｏｆｆｓｅｔによって決定される。
【００８３】
具体的には、ＭＩＢの周波数領域開始位置がＰＳＳ又はＳＳＳと同じであり、又はｆｐｓｓ−ｓｓｓ−ｏｆｆｓｅｔからの整数倍であり、時間領域開始位置がｔｐｓｓ−ｓｓｓ−ｏｆｆｓｅｔによって計算され、例えばＭＩＢとＰＳＳ（又はＳＳＳ）の相対位置がｔｐｓｓ−ｓｓｓ−ｏｆｆｓｅｔの整数倍である。
【００８４】
別の実施形態では、プライマリ同期信号の時間周波数開始位置又は前記セカンダリ同期信号の時間周波数位置、及び上記の時間領域差セットの要素と周波数領域差セットの要素に基づいてプライマリシステム情報の時間周波数位置を確定することができる。即ち、プライマリ同期信号（又はセカンダリ同期信号）の時間周波数開始位置を確定した後、時間領域差セットからプライマリシステム情報とプライマリ同期信号（セカンダリ同期信号）との時間領域開始位置の時間領域差を選択し、及び周波数領域差セットからプライマリシステム情報とプライマリ同期信号（セカンダリ同期信号）の時間領域位置の周波数領域差を選択し、そしてプライマリシステム情報の時間周波数位置を計算することができる。
【００８５】
理解すべきものとして、該実施形態では、時間領域差セットからプライマリシステム情報とプライマリ同期信号（セカンダリ同期信号）との時間領域開始位置の時間領域差をランダムに選択することができ、この時に選択された時間領域差は選択された、プライマリ同期信号と対応するセカンダリ同期信号との時間領域開始位置の時間領域差と同じであってもよく、又は異なってもよい。周波数領域差セットからプライマリシステム情報とプライマリ同期信号（又はセカンダリ同期信号）の周波数領域開始位置の周波数領域差をランダムに選択することができ、この時に選択された周波数領域差は選択された、プライマリ同期信号と対応するセカンダリ同期信号との周波数領域開始位置の周波数領域差と同じであってもよく、又は異なってもよい。
【００８６】
選択可能に、本出願の実施例では、プライマリシステム情報の時間周波数位置を確定した後、プライマリシステム情報の時間周波数位置及びプライマリシステム情報に対応する基礎パラメータセットに基づき、プライマリシステム情報を受信又は送信することができる。
【００８７】
ここで、プライマリシステム情報の基礎パラメータセットはプライマリ同期信号のための基礎パラメータセットと同じであってもよく又は異なってもよく、又は、
プライマリシステム情報の基礎パラメータセットはセカンダリ同期信号のための基礎パラメータセットと同じであってもよく又は異なってもよい。
【００８８】
選択可能に、本出願の実施例では、前記同期信号は前記プライマリシステム情報の時間周波数位置、変調方式と対応する基礎パラメータセットのうちの少なくとも一つを示すことに用いられる。当然、同期信号はプライマリシステム情報の他の関連情報を示すことに用いられてもよく、本出願の実施例は具体的にこれに限定されない。
【００８９】
選択可能に、本出願の実施例では、前記同期信号に対応するシーケンスの全て又は一部、又は前記同期信号のマスクは前記プライマリシステム情報の時間周波数位置、変調方式と対応する基礎パラメータセットのうちの少なくとも一つを示すことに用いられる。
【００９０】
図３は本出願の実施例による情報伝送方法２００の概略フローチャートである。図２に示すように、該方法２００は２１０と２２０を含む。
【００９１】
２１０において、複数の基礎パラメータセットを使用し、ターゲット信号のブラインド検出を行う。
【００９２】
２２０において、ブラインド検出結果に基づき、前記ターゲット信号を取得する。
【００９３】
具体的には、送信側は複数の基礎パラメータセットからターゲット基礎パラメータセットを選択して信号の伝送を行うことができ、受信側は該複数の基礎パラメータセットを使用し、同期信号のブラインド検出を行い、ブラインド検出結果に基づき、同期信号を取得することができる。
【００９４】
選択可能に、本出願の実施例では、前記ターゲット信号は同期信号であり、前記同期信号がプライマリ同期信号と前記プライマリ同期信号に対応するセカンダリ同期信号を含む。
【００９５】
選択可能に、本出願の実施例では、複数の基礎パラメータセットの第一のサブセットを使用してプライマリ同期信号のブラインド検出を行い、前記複数の基礎パラメータセットの第二のサブセットを使用してセカンダリ同期信号のブラインド検出を行い、ここで、第一のサブセットと第二のサブセットが少なくとも一つの異なる基礎パラメータセットを含む。
【００９６】
選択可能に、本出願の実施例では、第一のサブセットと第二のサブセットは完全に異なる基礎パラメータセットを含む。
【００９７】
例えば、本出願の実施例では、複数の基礎パラメータセットの一部の基礎パラメータセット（第一のサブセットと呼ばれてもよい）を使用し、プライマリ同期信号のブラインド検出を行い、複数の基礎パラメータセットの別の一部の基礎パラメータセット（第二のサブセットと呼ばれてもよい）を使用し、セカンダリ同期信号のブラインド検出を行う。
【００９８】
選択可能に、第一のサブセットは第二のサブセットのサブセットであってもよく、即ち、セカンダリ同期信号を送信するための基礎パラメータセットの選択可能範囲はプライマリ同期信号を送信するための基礎パラメータセットの選択可能範囲以上である。
【００９９】
例えば、本出願の実施例では、複数の基礎パラメータセットの一部の基礎パラメータセットを使用し、プライマリ同期信号のブラインド検出を行い、複数の基礎パラメータセットを使用してセカンダリ同期信号のブラインド検出を行う。セットの選択可能範囲に対して、第一の基礎パラメータセットと第二の基礎パラメータセットは同じであってもよく、又は異なってもよい。
【０１００】
選択可能に、前記プライマリ同期信号、前記プライマリ同期信号と対応するセカンダリ同期信号の相対位置セット、及び前記複数の基礎パラメータセットの第二のサブセットを使用してセカンダリ同期信号のブラインド検出を行う。
【０１０１】
選択可能に、本出願の実施例では、端末装置がアクセスする時に、プライマリ同期信号の時間周波数位置を確定した後、時間領域差セットと周波数領域差セットに基づき、該プライマリ同期信号に対応する各セカンダリ同期信号の可能な時間周波数位置でブラインド検出を行い、該プライマリ同期信号に対応するセカンダリ同期信号を取得することができる。
【０１０２】
図４は本出願の実施例による情報伝送装置３００の概略ブロック図である。図４に示すように、該装置３００は処理ユニット３１０と送受信ユニット３２０を備える。
【０１０３】
処理ユニット３１０は複数の基礎パラメータセットから、ターゲット基礎パラメータセットを確定するように構成される。
【０１０４】
送受信ユニット３２０は該ターゲット基礎パラメータセットに基づき、同期信号を受信又は送信するように構成される。
【０１０５】
選択可能に、該処理ユニット３１０は具体的に、
該同期信号を送信するための搬送波周波数、
該同期信号の伝送環境、
該同期信号を送信するための搬送波、セル又は伝送ノードのカバレッジ範囲、
該同期信号を送信するための送信電力、及び
該同期信号を送信するための送信アンテナの形態、高さ、方向とアンテナアレイ素子の数、
という情報のうちの少なくとも一つに基づき、該複数の基礎パラメータセットから、該ターゲット基礎パラメータセットを確定するように構成される。
【０１０６】
選択可能に、該処理ユニット３１０は具体的に、
該情報に基づき、少なくとも一つの基礎パラメータの値を確定し、
該少なくとも一つの基礎パラメータの値に基づき、該ターゲット基礎パラメータセットを確定するように構成される。
【０１０７】
選択可能に、該同期信号はプライマリ同期信号と該プライマリ同期信号に対応するセカンダリ同期信号を含む。
【０１０８】
選択可能に、該ターゲット基礎パラメータセットは第一の基礎パラメータセットと第二の基礎パラメータセットを含み、該第一の基礎パラメータセットが前記第二の基礎パラメータセットと異なり、
該送受信ユニット３２０は具体的に、
該第一の基礎パラメータセットに基づき、該プライマリ同期信号を受信又は送信し、
該第二の基礎パラメータに基づき、該プライマリ同期信号に対応するセカンダリ同期信号を受信又は送信するように構成される。
【０１０９】
選択可能に、該ターゲット基礎パラメータセットは第一の基礎パラメータセットと第二の基礎パラメータセットを含み、
該処理ユニット３１０は具体的に該複数の基礎パラメータセットの第一のサブセットから、該第一の基礎パラメータセットを選択し、該第一のサブセットが該複数の基礎パラメータセットの少なくとも一つの基礎パラメータセットを含み、複数の基礎パラメータセットの第二のサブセットから、第二の基礎パラメータセットを選択するように構成され、該第二のサブセットが該複数の基礎パラメータセットの少なくとも一つの基礎パラメータセットを含み、該第一のサブセットと該第二のサブセットが少なくとも一つの異なる基礎パラメータセットを含む。
【０１１０】
該送受信ユニット３２０は具体的に該第一の基礎パラメータセットに基づき、該プライマリ同期信号を受信又は送信し、該第二の基礎パラメータセットに基づき、該セカンダリ同期信号を受信又は送信するように構成される。
【０１１１】
選択可能に、該送受信ユニット３２０はさらに、
該第一の基礎パラメータセットに基づき、プライマリシステム情報を受信又は送信し、又は
該第二の基礎パラメータセットに基づき、プライマリシステム情報を受信又は送信し、又は
該第三の基礎パラメータセットに基づき、プライマリシステム情報を受信又は送信するように構成され、
ここで、該第三の基礎パラメータセットが該第一の基礎パラメータセットと該第二の基礎パラメータと異なる。
【０１１２】
選択可能に、該プライマリ同期信号と対応する該セカンダリ同期信号との時間領域開始位置の時間領域差が時間領域差セットに属し、該時間領域差セットが有限セットであり、及び／又は、
該プライマリ同期信号と対応する該セカンダリ同期信号との周波数領域開始位置の差が周波数領域差セットに属し、該周波数領域差セットが有限セットである。
【０１１３】
選択可能に、該プライマリ同期信号と対応する該セカンダリ同期信号との時間領域開始位置の時間領域差、及び該プライマリ同期信号と対応する該セカンダリ同期信号との周波数領域開始位置の差のうちの少なくとも一つがゼロではない。
【０１１４】
選択可能に、該プライマリ同期信号に占有された時間周波数位置が、対応する該セカンダリ同期信号に占有された時間周波数位置と重ならない。
【０１１５】
選択可能に、該送受信ユニット３２０はさらにプライマリシステム情報を受信又は送信するように構成される。
【０１１６】
選択可能に、該送受信ユニット３２０は具体的に、
該プライマリシステム情報に対応する基礎パラメータに基づき、該プライマリシステム情報を受信又は送信するように構成され、該プライマリシステム情報に対応する基礎パラメータセットと該ターゲット基礎パラメータセットが同じ又は異なる。
【０１１７】
選択可能に、該処理ユニット３１０はさらに該同期信号の時間周波数位置に基づき、該プライマリシステム情報の時間周波数位置を確定するように構成され、
該送受信ユニット３２０はさらに
該プライマリシステム情報の時間周波数位置に基づき、該プライマリシステム情報を受信又は送信するように構成される。
【０１１８】
選択可能に、該同期信号はプライマリ同期信号と該プライマリ同期信号に対応するセカンダリ同期信号を含み、
該処理ユニット３１０は具体的に、
該プライマリ同期信号の時間周波数開始位置、該セカンダリ同期信号の時間領域開始位置、及び該プライマリ同期信号と対応する該セカンダリ同期信号との時間領域開始位置の時間領域差のうちの少なくとも一つに基づき、プライマリシステム情報の時間領域開始位置を確定し、
該プライマリ同期信号の周波数領域開始位置、該セカンダリ同期信号の周波数領域開始位置、及び該プライマリ同期信号と対応する該セカンダリ同期信号との周波数領域開始位置の周波数領域差のうちの少なくとも一つに基づき、プライマリシステム情報の周波数領域開始位置を確定するように構成される。
【０１１９】
選択可能に、該同期信号は該プライマリシステム情報の時間周波数位置、変調方式と対応する基礎パラメータセットのうちの少なくとも一つを示すことに用いられる。
【０１２０】
選択可能に、該同期信号に対応するシーケンスの全て又は一部、又は該同期信号のマスクは該プライマリシステム情報の時間周波数位置、変調方式と対応する基礎パラメータセットのうちの少なくとも一つを示すことに用いられる。
【０１２１】
選択可能に、該基礎パラメータセットは、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭシンボルサイクリックプレフィックス（ＣＰ：Ｃｙｃｌｉｃ  Ｐｒｅｆｉｘ）の長さ、ＯＦＤＭ信号を生成するためのフーリエ変換又は逆フーリエ変換のポイント数、伝送時間間隔（ＴＴＩ）におけるＯＦＤＭシンボル数、特定時間長に含まれるＴＴＩの数のうちの少なくとも一つを含む。
【０１２２】
選択可能に、該同期信号を送信するための搬送波、セル又は伝送ノードを確立してから閉じるまでの期間内で、該ターゲット基礎パラメータセットを確定するための該複数の基礎パラメータセットが存在する。
【０１２３】
選択可能に、該装置３００は端末装置又はネットワーク装置であってもよい。
【０１２４】
理解すべきものとして、図４に示す装置３００は方法１００の対応するプロセスを実現することができ、簡潔にするために、ここで説明を省略する。
【０１２５】
図５は本出願の実施例による装置４００の概略ブロック図である。図５に示すように、該装置４００は、送受信ユニット４１０と処理ユニット４２０を備える。
【０１２６】
送受信ユニット４１０は、複数の基礎パラメータセットを使用し、ターゲット信号のブラインド検出を行うように構成される。
【０１２７】
処理ユニット４２０はブラインド検出結果に基づき、該ターゲット信号を取得するように構成される。
【０１２８】
選択可能に、該ターゲット信号は同期信号であり、該同期信号はプライマリ同期信号と該プライマリ同期信号に対応するセカンダリ同期信号を含む。
【０１２９】
選択可能に、該送受信ユニット４１０は具体的に、
該複数の基礎パラメータセットの第一のサブセットを使用してプライマリ同期信号のブラインド検出を行い、
該複数の基礎パラメータセットの第二のサブセットを使用してセカンダリ同期信号のブラインド検出を行うように構成され、
該第一のサブセットと該第二のサブセットが異なる基礎パラメータセットを含む。
【０１３０】
選択可能に、該送受信ユニット４１０は具体的に、
該プライマリ同期信号、該プライマリ同期信号と対応するセカンダリ同期信号の相対位置セット、及び該複数の基礎パラメータセットの第二のサブセットを使用してセカンダリ同期信号のブラインド検出を行うように構成され、ここで、該第一のサブセットと該第二のサブセットが少なくとも一つの異なる基礎パラメータセットを含む。
【０１３１】
選択可能に、該第一のサブセットは該第二のサブセットのサブセットである。
【０１３２】
選択可能に、該基礎パラメータセットは、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭ信号を生成するためのフーリエ変換又は逆フーリエ変換のポイント数、伝送時間間隔（ＴＴＩ）におけるＯＦＤＭシンボル数、特定時間長に含まれるＴＴＩの数と信号サイクリックプレフィックスの長さのうちの少なくとも一つを含む。
【０１３３】
選択可能に、該ターゲット信号を送信するための搬送波、セル又は伝送ノードを確立してから閉じるまでの期間内で、該ターゲット信号のブラインド検出を行うための該複数の基礎パラメータセットが存在する。
【０１３４】
選択可能に、該装置４００は端末装置又はネットワーク装置であってもよい。
【０１３５】
理解すべきものとして、図５に示す装置４００は方法２００の対応するプロセスを実現することができ、簡潔にするために、ここで説明を省略する。
【０１３６】
図６は本出願の実施例による装置５００の概略ブロック図である。該装置５００はプロセッサ５１０、メモリ５２０と送受信機５３０を備える。メモリ５２０はプログラム命令を記憶するように構成される。プロセッサ５１０はメモリ５２０に記憶されたプログラム命令を呼び出すことができる。送受信機５３０は外部通信に用いられ、選択可能に、装置５００はさらにプロセッサ５１０、メモリ５２０と送受信機５３０を相互に接続するバスシステム５４０を備える。
【０１３７】
具体的には、プロセッサ５１０はメモリ５２０に記憶された命令を呼び出し、複数の基礎パラメータセットから、ターゲット基礎パラメータセットを確定することと、
該ターゲット基礎パラメータセットに基づき、送受信機５３０によって同期信号を受信又は送信することとを実行するように構成される。
【０１３８】
選択可能に、プロセッサ５１０はメモリ５２０に記憶された命令を呼び出し、
該同期信号を送信するための搬送波周波数、
該同期信号の伝送環境、
該同期信号を送信するための搬送波、セル又は伝送ノードのカバレッジ範囲、
該同期信号を送信するための送信電力、及び
該同期信号を送信するための送信アンテナの形態、高さ、方向とアンテナアレイ素子の数、
という情報の内の少なくとも一つに基づき、該複数の基礎パラメータセットから、該ターゲット基礎パラメータセットを確定することを実行するように構成される。
【０１３９】
選択可能に、プロセッサ５１０はメモリ５２０に記憶された命令を呼び出し、該情報に基づき、少なくとも一つの基礎パラメータの値を確定することと、
該少なくとも一つの基礎パラメータの値に基づき、該ターゲット基礎パラメータセットを確定することとを実行するように構成される。
【０１４０】
選択可能に、該同期信号はプライマリ同期信号と該プライマリ同期信号に対応するセカンダリ同期信号を含む。
【０１４１】
選択可能に、該ターゲット基礎パラメータセットは第一の基礎パラメータセットと第二の基礎パラメータセットを含み、該第一の基礎パラメータセットが該第二の基礎パラメータセットと異なる。
【０１４２】
選択可能に、プロセッサ５１０はメモリ５２０に記憶された命令を呼び出し、該第一の基礎パラメータセットに基づき、該プライマリ同期信号を受信又は送信することと、
該第二の基礎パラメータに基づき、該プライマリ同期信号に対応するセカンダリ同期信号を受信又は送信することとを実行するように構成される。
【０１４３】
選択可能に、該ターゲット基礎パラメータセットは第一の基礎パラメータセットと第二の基礎パラメータセットを含み、プロセッサ５１０はメモリ５２０に記憶された命令を呼び出し、
該複数の基礎パラメータセットの第一のサブセットから、該第一の基礎パラメータセットを選択し、該第一のサブセットが該複数の基礎パラメータセットの少なくとも一つの基礎パラメータセットを含み、複数の基礎パラメータセットの第二のサブセットから、第二の基礎パラメータセットを選択し、該第二のサブセットが該複数の基礎パラメータセットの少なくとも一つの基礎パラメータセットを含み、該第一のサブセットと該第二のサブセットが少なくとも一つの異なる基礎パラメータセットを含むことと、
該第一の基礎パラメータセットに基づき、送受信機５３０によって該プライマリ同期信号を受信又は送信することと、
該第二の基礎パラメータセットに基づき、送受信機５３０によって該セカンダリ同期信号を受信又は送信することと、
を実行するように構成される。
【０１４４】
選択可能に、プロセッサ５１０はメモリ５２０に記憶された命令を呼び出し、
該第一の基礎パラメータセットに基づき、送受信機５３０によってプライマリシステム情報を受信又は送信すること、又は
該第二の基礎パラメータセットに基づき、送受信機５３０によってプライマリシステム情報を受信又は送信すること、又は
該第三の基礎パラメータセットに基づき、送受信機５３０によってプライマリシステム情報を受信又は送信すること、を実行するように構成される。
【０１４５】
ここで、該第三の基礎パラメータセットが該第一の基礎パラメータセットと該第二の基礎パラメータと異なる。
【０１４６】
選択可能に、該プライマリ同期信号と対応する該セカンダリ同期信号との時間領域開始位置の時間領域差が時間領域差セットに属し、該時間領域差セットが有限セットであり、及び／又は、
該プライマリ同期信号と対応する該セカンダリ同期信号との周波数領域開始位置の差が周波数領域差セットに属し、該周波数領域差セットが有限セットである。
【０１４７】
選択可能に、該プライマリ同期信号と対応する該セカンダリ同期信号との時間領域開始位置の時間領域差、及び該プライマリ同期信号と対応する該セカンダリ同期信号との周波数領域開始位置の差のうちの少なくとも一つがゼロではない。
【０１４８】
選択可能に、該プライマリ同期信号に占有された時間周波数位置が、対応する該セカンダリ同期信号に占有された時間周波数位置と重ならない。
【０１４９】
選択可能に、プロセッサ５１０はメモリ５２０に記憶された命令を呼び出し、送受信機５３０によって該プライマリシステム情報を受信又は送信すること実行するように構成される。
【０１５０】
選択可能に、プロセッサ５１０はメモリ５２０に記憶された命令を呼び出し、該プライマリシステム情報に対応する基礎パラメータセットに基づき、送受信機５３０によって該プライマリシステム情報を受信又は送信することを実行するように構成され、該プライマリシステム情報に対応する基礎パラメータセットが該ターゲット基礎パラメータセットと同じ又は異なる。
【０１５１】
選択可能に、プロセッサ５１０はメモリ５２０に記憶された命令を呼び出し、該同期信号の時間周波数位置に基づき、該プライマリシステム情報の時間周波数位置を確定することと、
該プライマリシステム情報の時間周波数位置に基づき、送受信機５３０によって該プライマリシステム情報を受信又は送信することとを実行するように構成される。
【０１５２】
選択可能に、該同期信号はプライマリ同期信号と該プライマリ同期信号に対応するセカンダリ同期信号を含み、
プロセッサ５１０はメモリ５２０に記憶された命令を呼び出し、
該プライマリ同期信号の時間周波数開始位置、該セカンダリ同期信号の時間領域開始位置、及び該プライマリ同期信号と対応する該セカンダリ同期信号との時間領域開始位置の時間領域差のうちの少なくとも一つに基づき、プライマリシステム情報の時間領域開始位置を確定することと、
該プライマリ同期信号の周波数領域開始位置、該セカンダリ同期信号の周波数領域開始位置、及び該プライマリ同期信号と対応する該セカンダリ同期信号との周波数領域開始位置の周波数領域差のうちの少なくとも一つに基づき、プライマリシステム情報の周波数領域開始位置を確定することとを実行するように構成される。
【０１５３】
選択可能に、該同期信号は該プライマリシステム情報の時間周波数位置、変調方式と対応する基礎パラメータセットのうちの少なくとも一つを示すことに用いられる。
【０１５４】
選択可能に、該同期信号に対応するシーケンスの全て又は一部、又は該同期信号のマスクは該プライマリシステム情報の時間周波数位置、変調方式と対応する基礎パラメータセットのうちの少なくとも一つを示すことに用いられる。
【０１５５】
選択可能に、該基礎パラメータセットは、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭシンボルサイクリックプレフィックス（ＣＰ：Ｃｙｃｌｉｃ  Ｐｒｅｆｉｘ）の長さ、ＯＦＤＭ信号を生成するためのフーリエ変換又は逆フーリエ変換のポイント数、伝送時間間隔（ＴＴＩ）におけるＯＦＤＭシンボル数、特定時間長に含まれるＴＴＩの数のうちの少なくとも一つを含む。
【０１５６】
選択可能に、該同期信号を送信するための搬送波、セル又は伝送ノードを確立してから閉じるまでの期間内で、該ターゲット基礎パラメータセットを確定するための該複数の基礎パラメータセットが存在する。
【０１５７】
選択可能に、該装置３００は端末装置又はネットワーク装置であってもよい。
【０１５８】
理解すべきものとして、図４に示す装置５００は方法１００の対応するプロセスを実現することができ、簡潔にするために、ここで説明を省略する。
【０１５９】
図７は本出願の実施例による装置５００の概略ブロック図である。該装置５００はプロセッサ６１０、メモリ６２０と送受信機６３０を備える。メモリ６２０はプログラム命令を記憶するように構成される。プロセッサ６１０はメモリ６２０に記憶されたプログラム命令を呼び出すことができる。送受信機６３０は外部通信に用いられ、選択可能に、装置６００はさらにプロセッサ６１０、メモリ６２０と送受信機６３０を相互に接続するバスシステム６４０を備える。
【０１６０】
具体的には、プロセッサ６１０はメモリ６２０に記憶された命令を呼び出し、
複数の基礎パラメータセットを使用し、送受信機６３０によてターゲット信号のブラインド検出を行うことと、
ブラインド検出結果に基づき、該ターゲット信号を取得することとを実行するように構成される。
【０１６１】
選択可能に、該ターゲット信号は同期信号であり、該同期信号がプライマリ同期信号と該プライマリ同期信号に対応するセカンダリ同期信号を含む。
【０１６２】
選択可能に、プロセッサ６１０はメモリ６２０に記憶された命令を呼び出し、
複数の基礎パラメータセットの第一のサブセットを使用してプライマリ同期信号のブラインド検出を行うことと、
該複数の基礎パラメータセットの第二のサブセットを使用してセカンダリ同期信号のブラインド検出を行うことと、
該第一のサブセットと該第二のサブセットが異なる基礎パラメータセットを含むことを実行するように構成される。
【０１６３】
選択可能に、プロセッサ６１０はメモリ６２０に記憶された命令を呼び出し、
該プライマリ同期信号、該プライマリ同期信号と対応するセカンダリ同期信号の相対位置セット、及び該複数の基礎パラメータセットの第二のサブセットを使用してセカンダリ同期信号のブラインド検出を行うことを実行するように構成され、ここで、該第一のサブセットと該第二のサブセットが少なくとも一つの異なる基礎パラメータセットを含むことを含む。
【０１６４】
選択可能に、該第一のサブセットは該第二のサブセットのサブセットである。
【０１６５】
選択可能に、該基礎パラメータセットは、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭ信号を生成するためのフーリエ変換又は逆フーリエ変換のポイント数、伝送時間間隔（ＴＴＩ）におけるＯＦＤＭシンボル数、特定時間長に含まれるＴＴＩの数と信号サイクリックプレフィックスの長さのうちの少なくとも一つを含む。
【０１６６】
選択可能に、該ターゲット信号を送信するための搬送波、セル又は伝送ノードを確立してから閉じるまでの期間内で、該ターゲット信号のブラインド検出を行うための該複数の基礎パラメータセットが存在する。
【０１６７】
選択可能に、該装置６００は端末装置又はネットワーク装置であってもよい。
【０１６８】
理解すべきものとして、図７に示す装置６００は方法２００の対応するプロセスを実現することができ、簡潔にするために、ここで説明を省略する。
【０１６９】
当業者であれば、本明細書に開示される実施例と組み合わせて説明される各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本出願の範囲を超えていると考えられるべきではない。
【０１７０】
当業者は便利且つ簡潔で説明するために、上述したシステム、装置とユニットの具体的な動作プロセスについて上記方法の実施例における対応するプロセスを参照できることを明確に理解でき、ここでは説明を省略する。
【０１７１】
本出願が提供するいくつかの実施例では、開示されるシステム、装置及び方法は他の方式により実現されてもよいと理解すべきである。例えば、上述した装置の実施例は例示的なものだけであり、例えば、前記ユニットの区分はロジック機能的区分だけであり、実際に実施する時に他の区分方式もあり得て、例えば複数のユニット又は部材は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１７２】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０１７３】
また、本出願の各実施例における各機能ユニットは一つの処理ユニットに統合されてもよく、個々のユニットは単独で物理的に存在してもよく、２つ又は２つ以上のユニットは一つのユニットに統合されてもよい。
【０１７４】
前記機能はソフトウェア機能ユニットの形態で実現され且つ独立した製品として販売又は使用される場合、一つのコンピュータ可読記憶媒体に格納されてもよい。このような理解に基づき、本出願の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本出願の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１７５】
以上は、本出願の具体的な実施形態だけであり、本出願の保護範囲はこれに制限されず、当業者が本出願に開示された技術範囲内で容易に想到し得る変化又は入れ替わりが全て本出願の保護範囲以内に含まれるべきである。したがって、本出願の保護範囲は特許請求の範囲に準拠するべきである。
【図１】
2019531000.tif 000003
【図２】
2019531000.tif 000004
【図３】
2019531000.tif 000005
【図４】
2019531000.tif 000006
【図５】
2019531000.tif 000007
【図６】
2019531000.tif 000008
【図７】
2019531000.tif 000009
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
情報伝送方法であって、
ターゲット基礎パラメータセットに基づき、ターゲット信号を送信することを含み、前記ターゲット基礎パラメータセットが複数の基礎パラメータセットから確定される、前記情報伝送方法。
【請求項２】
前記複数の基礎パラメータセットから、前記ターゲット基礎パラメータセットを確定することをさらに含む、
請求項１に記載の方法。
【請求項３】
ターゲット基礎パラメータセットは、
前記同期信号を送信するための搬送波周波数、
前記同期信号の伝送環境、
前記同期信号を送信するための搬送波、セル又は伝送ノードのカバレッジ範囲、
前記同期信号を送信するための送信電力、及び
前記同期信号を送信するための送信アンテナの形態、高さ、方向とアンテナアレイ素子の数、
という情報のうちの少なくとも一つに基づき、前記複数の基礎パラメータセットから、確定されるものであることを特徴とする
請求項１又は２に記載の方法。
【請求項４】
前記同期信号はプライマリ同期信号と前記プライマリ同期信号に対応するセカンダリ同期信号を含むことを特徴とする
請求項１−３のいずれか一項に記載の方法。
【請求項５】
前記ターゲット基礎パラメータセットに含まれる、前記プライマリ同期信号を送信するための基礎パラメータセットは、前記セカンダリ同期信号を送信するための基礎パラメータセットと同じである、
請求項４に記載の方法。
【請求項６】
前記プライマリ同期信号と前記セカンダリ同期信号の時間領域開始位置の差は、前記同期信号に使用される搬送波周波数に基づいて、確定されるものである、
請求項４に記載の方法。
【請求項７】
前記ターゲット基礎パラメータセットは第一の基礎パラメータセットと第二の基礎パラメータセットを含み、
複数の基礎パラメータセットから、ターゲット基礎パラメータセットを確定することは、前記複数の基礎パラメータセットの第一のサブセットから、前記第一の基礎パラメータセットを選択し、前記第一のサブセットが前記複数の基礎パラメータセットの少なくとも一つの基礎パラメータセットを含むことと、複数の基礎パラメータセットの第二のサブセットから、第二の基礎パラメータセットを選択し、前記第二のサブセットが前記複数の基礎パラメータセットの少なくとも一つの基礎パラメータセットを含み、前記第一のサブセットと前記第二のサブセットが少なくとも一つの異なる基礎パラメータセットを含むこととを含み、
前記ターゲット基礎パラメータセットに基づき、同期信号を送信することは、前記第一の基礎パラメータセットに基づき、前記プライマリ同期信号を送信することと、前記第二の基礎パラメータセットに基づき、前記セカンダリ同期信号を送信することとを含むことを特徴とする
請求項４又は５に記載の方法。
【請求項８】
前記プライマリ同期信号と対応する前記セカンダリ同期信号との時間領域開始位置の時間領域差が時間領域差セットに属し、前記時間領域差セットが有限セットであり、及び／又は、
前記プライマリ同期信号と対応する前記セカンダリ同期信号との周波数領域開始位置の差が周波数領域差セットに属し、前記周波数領域差セットが有限セットであることを特徴とする
請求項７に記載の方法。
【請求項９】
前記プライマリ同期信号と対応する前記セカンダリ同期信号との時間領域開始位置の時間領域差、及び前記プライマリ同期信号と対応する前記セカンダリ同期信号との周波数領域開始位置の差のうちの少なくとも一つがゼロではないことを特徴とする
請求項８に記載の方法。
【請求項１０】
前記プライマリ同期信号に占有された時間周波数位置が、対応する前記セカンダリ同期信号に占有された時間周波数位置と重ならないことを特徴とする
請求項８又は９に記載の方法。
【請求項１１】
前記方法はさらに、
プライマリシステム情報を送信することを含むことを特徴とする
請求項１−１０のいずれか一項に記載の方法。
【請求項１２】
前記プライマリシステム情報を送信することは、
前記プライマリシステム情報に対応する基礎パラメータセットに基づき、前記プライマリシステム情報を送信することを含み、前記プライマリシステム情報に対応する基礎パラメータセットと前記ターゲット基礎パラメータセットが同じ又は異なることを特徴とする
請求項１１に記載の方法。
【請求項１３】
前記方法はさらに、
前記同期信号の時間周波数位置に基づき、前記プライマリシステム情報の時間周波数位置を確定することを含み、
前記プライマリシステム情報を送信することは、
前記プライマリシステム情報の時間周波数位置に基づき、前記プライマリシステム情報を送信することを含むことを特徴とする
請求項１１又は１２に記載の方法。
【請求項１４】
前記ターゲット信号は、同期信号を含み、前記同期信号はプライマリ同期信号と前記プライマリ同期信号に対応するセカンダリ同期信号を含むことを特徴とする、
請求項１−１３のいずれか一項に記載の方法。
【請求項１５】
前記同期信号の時間周波数位置に基づき、プライマリシステム情報の時間周波数位置を確定することは、
前記プライマリ同期信号の時間周波数開始位置、前記セカンダリ同期信号の時間領域開始位置、及び前記プライマリ同期信号と対応する前記セカンダリ同期信号との時間領域開始位置の時間領域差のうちの少なくとも一つに基づき、プライマリシステム情報の時間領域開始位置を確定すること、を含むことを特徴とする
請求項１４に記載の方法。
【請求項１６】
前記同期信号は前記プライマリシステム情報の時間周波数位置、変調方式と対応する基礎パラメータセットのうちの少なくとも一つを示すことに用いられることを特徴とする
請求項１１又は１２に記載の方法。
【請求項１７】
前記同期信号に対応するシーケンスの全て又は一部、又は前記同期信号のマスクは前記プライマリシステム情報の時間周波数位置、変調方式と対応する基礎パラメータセットのうちの少なくとも一つを示すことに用いられることを特徴とする
請求項１６に記載の方法。
【請求項１８】
前記基礎パラメータセットは、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭシンボルサイクリックプレフィックス（ＣＰ：Ｃｙｃｌｉｃ  Ｐｒｅｆｉｘ）の長さ、ＯＦＤＭ信号を生成するためのフーリエ変換又は逆フーリエ変換のポイント数、伝送時間間隔（ＴＴＩ）におけるＯＦＤＭシンボル数、特定時間長に含まれるＴＴＩの数のうちの少なくとも一つを含むことを特徴とする
請求項１−１７のいずれか一項に記載の方法。
【請求項１９】
前記同期信号を送信するための搬送波、セル又は伝送ノードを確立してから閉じるまでの期間内で、前記ターゲット基礎パラメータセットを確定するための前記複数の基礎パラメータセットが存在することを特徴とする
請求項１−１８のいずれか一項に記載の方法。
【請求項２０】
情報伝送方法であって、
複数の基礎パラメータセットを使用し、ターゲット信号のブラインド検出を行うことと、
ブラインド検出結果に基づき、前記ターゲット信号を取得することとを含む、前記情報伝送方法。
【請求項２１】
前記ターゲット信号は同期信号であり、前記同期信号がプライマリ同期信号と前記プライマリ同期信号に対応するセカンダリ同期信号を含むことを特徴とする
請求項２０に記載の方法。
【請求項２２】
前記複数の基礎パラメータセットを使用し、ターゲット信号のブラインド検出を行うことは、
前記複数の基礎パラメータセットの一部の基礎パラメータセットを使用し、前記プライマリ同期信号に対してブラインド検出を行うことを含む、
請求項２０に記載の方法。
【請求項２３】
前記複数の基礎パラメータセットの一部の基礎パラメータセットを使用し、前記プライマリ同期信号に対応するセカンダリ同期信号に対してブラインド検出を行う、
請求項２２に記載の方法。
【請求項２４】
前記プライマリ同期信号と前記セカンダリ同期信号の時間領域開始位置の差は、前記同期信号に使用される搬送波周波数に基づいて、確定されるものである、
請求項２１−２３のいずれか一項に記載の方法。
【請求項２５】
前記基礎パラメータセットは、
サブ搬送波間隔、特定帯域幅におけるサブ搬送波の数、物理リソースブロック（ＰＲＢ）におけるサブ搬送波の数、直交周波数分割多重（ＯＦＤＭ）シンボルの長さ、ＯＦＤＭ信号を生成するためのフーリエ変換又は逆フーリエ変換のポイント数、伝送時間間隔（ＴＴＩ）におけるＯＦＤＭシンボル数、特定時間長に含まれるＴＴＩの数と信号サイクリックプレフィックスの長さのうちの少なくとも一つを含むことを特徴とする
請求項２０−２４のいずれか一項に記載の方法。
【請求項２６】
前記ターゲット信号を送信するための搬送波、セル又は伝送ノードを確立してから閉じるまでの期間内で、前記ターゲット信号のブラインド検出を行うための前記複数の基礎パラメータセットが存在することを特徴とする
請求項２０−２５のいずれか一項に記載の方法。
【請求項２７】
コンピュータ読み取り可能な記憶媒体であって、
前記コンピュータ読み取り可能な記憶媒体に命令が記憶されており、前記命令がプロセッサによって実行される時に、前記プロセッサは請求項１−１９のいずれか一項に記載の方法を実行する、
前記コンピュータ読み取り可能な記憶媒体。
【請求項２８】
コンピュータ読み取り可能な記憶媒体であって、
前記コンピュータ読み取り可能な記憶媒体に命令が記憶されており、前記命令がプロセッサによって実行される時に、前記プロセッサは請求項２０−２６のいずれか一項に記載の方法を実行する、
前記コンピュータ読み取り可能な記憶媒体。
【請求項２９】
情報伝送装置であって、
プロセッサと、
プロセッサによって実行可能な命令が記憶されるメモリと、を含み、
前記プロセッサが、前記メモリに記憶されている命令を実行する時に、請求項１−１９のいずれか一項に記載の方法を実行する、
前記情報伝送装置。
【請求項３０】
情報伝送装置であって、
プロセッサと、
プロセッサによって実行可能な命令が記憶されるメモリと、を含み、
前記プロセッサが、前記メモリに記憶されている命令を実行する時に、請求項２０−２６のいずれか一項に記載の方法を実行する、
前記情報伝送装置。
【国際調査報告】
2019531000.tif 000010
2019531000.tif 000011
2019531000.tif 000012
2019531000.tif 000013
2019531000.tif 000014
2019531000.tif 000015